(57)【要約】【課題】  簡単な構造で、使い勝手が良く、かつ電子機器を良好に保護することができるカバーを提供する。【解決手段】  平面型の電子機器２の表面３ａを開閉自在に覆うカバー本体６と、このカバー本体６に起立横倒可能に取り付けられた支持部７と、この支持部７に屈曲自在に設けられて電子機器２に取り付けられる取付部８とを備えている。従って、カバー本体６で電子機器２の表面３ａを覆って保護することができると共に、カバー本体６上に起立した支持部７で電子機器２を立て掛けて使用することができるほか、電子機器２の裏面３ｄを開放することができる。このため、構造が簡単で、使い勝手が良く、かつ電子機器２を良好に保護することができる。【選択図】        図３
2014026412.tif 000002
【特許請求の範囲】
【請求項１】
平面型の電子機器の表面を開閉自在に覆うカバー本体と、
このカバー本体に起立横倒可能に取り付けられた支持部と、
この支持部に屈曲自在に設けられて前記電子機器に取り付けられる取付部と
を備えていることを特徴とするカバー。
【請求項２】
請求項１に記載のカバーにおいて、前記カバー本体には、前記支持部を挿脱自在に収納する収納凹部が設けられていることを特徴とするカバー。
【請求項３】
請求項１または請求項２に記載のカバーにおいて、前記カバー本体に対して前記支持部が起立した際に、前記カバー本体に対する前記支持部の傾きを規制する傾き規制部を備えていることを特徴とするカバー。
【請求項４】
請求項１〜請求項３のいずれかに記載のカバーにおいて、前記カバー本体には、前記電子機器を立て掛ける際に、前記電子機器の下端部を位置規制する複数の位置規制部が設けられていることを特徴とするカバー。
【請求項５】
請求項１〜請求項４のいずれかに記載のカバーにおいて、前記カバー本体の隅部には、これに対応する前記電子機器の隅部を係脱可能に係止する伸縮バンドが設けられていることを特徴とするカバー。
【請求項６】
請求項１〜請求項５のいずれかに記載のカバーにおいて、前記カバー本体と前記支持部とには、互いに磁力で吸着する磁石がそれぞれ設けられていることを特徴とするカバー。
【発明の詳細な説明】
【技術分野】
【０００１】
この発明は、携帯情報端末機などの平面型の電子機器に用いられるカバーに関する。
【背景技術】
【０００２】
例えば、平面型の電子機器を覆って保護する保護カバーにおいては、特許文献１に記載されているように、電子機器が配置されるケースカバー部と、このケースカバー部に回転自在に取り付けられて電子機器の表面を覆う蓋カバー部とを備えた構成のものが知られている。
【先行技術文献】
【特許文献】
【０００３】
【特許文献１】特開２００７−１２７９８０号公報
【発明の概要】
【発明が解決しようとする課題】
【０００４】
このような保護カバーは、ケースカバー部がほぼ箱状またはほぼ枠状に形成され、このケースカバー部に電子機器が収納され、この状態で蓋カバー部が回転して電子機器の表面を開閉自在に覆うように構成されている。
【０００５】
しかしながら、このような保護カバーでは、ケースカバー部が電子機器の裏面側を覆ってしまうため、電子機器の裏面に設けられた拡張端子類が隠れてしまうとい不都合がある。そこで、この保護カバーでは、電子機器の裏面に設けられた拡張端子類を露出させるために、各種の開口部を複雑に設けている。このため、ケースカバー部の形状が複雑になり、その製作が面倒になるという問題がある。
【０００６】
この発明が解決しようとする課題は、簡単な構造で、使い勝手が良く、かつ電子機器を良好に保護することができるカバーを提供することである。
【課題を解決するための手段】
【０００７】
この発明は、平面型の電子機器の表面を開閉自在に覆うカバー本体と、このカバー本体に起立横倒可能に取り付けられた支持部と、この支持部に屈曲自在に設けられて前記電子機器に取り付けられる取付部とを備えていることを特徴とするカバーである。
【発明の効果】
【０００８】
この発明によれば、カバー本体で電子機器の表面を覆って保護することができると共に、カバー本体上に起立した支持部で電子機器を立て掛けて使用することができるほか、電子機器の裏面を開放することができる。このため、構造が簡単で、使い勝手が良く、かつ電子機器を良好に保護することができる。
【図面の簡単な説明】
【０００９】
【図１】この発明の実施形態を適用した保護カバーの一実施形態において、電子機器を覆って携帯する状態を示した斜視図である。
【図２】図１に示された状態における保護カバーの裏面側を示した斜視図である。
【図３】図１および図２に示された保護カバーで電子機器を立て掛けて使用する状態を示した斜視図である。
【図４】図３に示された状態における保護カバーの側面図である。
【図５】図３に示された保護カバーから電子機器を取り外した状態を示した斜視図である。
【図６】図５に示された保護カバーにおけるカバー本体の各断面を示し、（ａ）は図５のＡ−Ａ矢視における要部の拡大断面図、（ｂ）は図５のＢ−Ｂ矢視における要部の拡大断面図である。
【図７】図５に示された保護カバーにおける支持部の各断面を示し、（ａ）は図５のＣ−Ｃ矢視における要部の拡大断面図、（ｂ）は図５のＤ−Ｄ矢視における要部の拡大断面図である。
【図８】図３に示された保護カバーで電子機器を立て掛ける前の展開途中の状態を示した斜視図である。
【図９】図８に示された保護カバーのカバー本体を電子機器の裏面に配置して、電子機器を使用する状態を示した斜視図である。
【図１０】図９に示された保護カバーを裏面側から見た斜視図である。
【発明を実施するための形態】
【００１０】
以下、図１〜図１０を参照して、この発明の実施形態を適用した保護カバーの一実施形態について説明する。
この保護カバー１は、図１〜図３に示すように、平面型の電子機器２を開閉自在に覆って保護するものである。この場合、電子機器２は、タブレット端末装置などの携帯情報端末機であり、平板状の機器ケース３を備えている。
【００１１】
この機器ケース３の表面３ａには、図３に示すように、入力表示部４と撮像部５とが設けられている。また、この機器ケース３の裏面３ｄには、図２に示すように、電池パック１０および拡張端子（図示せず）が設けられている。入力表示部４は、タッチパネルの下面に表示パネルを配置したものであり、機器ケース３の表面３ａにおけるほぼ全域に亘って配置されている。この入力表示部４は、表示パネルに表示された情報を見ながらタッチパネルをタッチ操作することにより、表示が切り替わったり、情報が入力されたりするように構成されている。
【００１２】
撮像部５は、デジタルカメラ部であり、図３に示すように、機器ケース３の表面３ａにおける上辺部３ｂ側に設けられている。この撮像部５は、入力表示部４の前方に位置する使用者などの被写体を撮影するように構成されている。これにより、この電子機器２は、撮像部５で撮影した被写体の画像データを送信することにより、テレビ会議などが行えるように構成されている。電池パック１０は、図２に示すように、平面型の充電池あり、機器ケース３の裏面３ｄに着脱可能に設けられている。
【００１３】
一方、保護カバー１は、図１〜図３に示すように、電子機器２の機器ケース３の表面３ａを開閉自在に覆うカバー本体６と、このカバー本体６に起立横倒可能に取り付けられた支持部７と、この支持部７に屈曲自在に設けられて機器ケース３の裏面３ｄの一部に取り付けられる取付部８とを備えている。この場合、カバー本体６は、機器ケース３の表面３ａとほぼ同じ大きさの板状に形成されている。
【００１４】
支持部７は、図３および図５に示すように、カバー本体６よりも小さい長方形の板状に形成されている。すなわち、この支持部７は、機器ケース３の前後方向（図３では上下方向）に対応する長さが、これと対応する方向におけるカバー本体６の長さとほぼ同じ長さで、これと直交する方向の長さ（幅）が、機器ケース３の横方向に対応するカバー本体６の長さよりも短い長さ、例えばカバー本体６の長さの約１／３程度の長さで形成されている。
【００１５】
取付部８は、図１〜図５に示すように、支持部７の先端部に屈曲部９を介して設けられている。この取付部８は、支持部７よりも小さいほぼ長方形に形成されている。すなわち、この取付部８は、その長手方向の長さが支持部７の幅方向の長さ、つまり支持部７の長手方向と直交する方向の長さと同じで、その幅方向の長さ、つまり長手方向と直交する方向の長さが短く形成されている。
【００１６】
また、この取付部８は、図２に示すように、機器ケース２の裏面３ｄにおける上辺部３ｂ側の一部にビス８ａによって取り付けられている。この場合、取付部８は、ＡＢＳ樹脂やポリカーボネ−トなどの硬質の合成樹脂に形成されている。また、屈曲部９は、ポリウレタンなどの軟質の合成油脂からなり、取付部８とほぼ同じ大きさの長方形に形成されている。これにより、この屈曲部９は、取付部８と支持部７とを屈曲自在に連結するように構成されている。
【００１７】
ところで、カバー本体６には、図３および図５に示すように、支持部７を挿脱自在に収納する支持収納凹部１１がカバー本体６の前後方向（図５では左右方向）に沿って設けられている。この支持収納凹部１１は、支持部７とほぼ同じ形状で、かつその深さが支持部７の厚みとほぼ同じ長さで形成され、カバー本体６の前端部６ａ（図５では左端部）から後端部６ｂ（図５では右端部）に亘って連続して形成されている。
【００１８】
また、支持部７は、図３〜図５に示すように、取付部８と反対側に位置する連結端部７ａが支持収納凹部１１内におけるカバー本体６の後端部６ｂに位置する箇所に縫合によって屈曲自在に取り付けられている。これにより、支持部７は、その連結端部７ａが屈曲することにより、カバー本体６上に起立し、かつ横倒して支持収納凹部１１内に収納されるように構成されている。
【００１９】
この場合、支持部７は、図３〜図５に示すように、カバー本体６に対して起立する際に、一対の傾き規制部１２によって支持部７の傾きが規制されるように構成されている。すなわち、この一対の傾き規制部１２は、それぞれ屈曲自在な帯状の紐であり、一端部がカバー本体６の支持収納凹部１１内における後端部６ｂから前端部６ａ側に向けて少し離れた箇所に取り付けられ、他端部が支持部７の連結端部７ａから取付部８側に向けて少し離れた箇所に取り付けられた構成になっている。
【００２０】
これにより、この一対の傾き規制部１２は、図３〜図５に示すように、カバー本体６に対して支持部７を起立させた際に、支持部７を一定の傾斜角度、例えば６０度前後の角度で傾けるように、その取付位置および長さが設定されている。また、この一対の傾き規制部１２は、支持部７を横倒させてカバー本体６の支持収納凹部１１内に配置する際に、それぞれ長手方向における中間部で折れ曲がって互いに重なり合うように構成されている。
【００２１】
このため、支持部７の両側部には、図３および図５に示すように、一対の傾き規制部１２をそれぞれ収納する一対の規制収納凹部１３が設けられている。すなわち、この一対の規制収納凹部１３は、カバー本体６の支持収納凹部１１に対面する支持部７の連結端部７ａ側に位置する両側部にそれぞれ設けられている。これにより、一対の規制収納凹部１３は、支持部７が横倒してカバー本体６の支持収納凹部１１内に配置される際に、一対の傾き規制部１２が折れ曲がって互いに重なり合い、この状態の一対の傾き規制部１２をそれぞれ収納するように構成されている。
【００２２】
また、カバー本体６には、図３および図５に示すように、機器ケース３を立て掛ける際に、カバー本体６上に位置する機器ケース３の下辺部３ｂを位置規制するための第１位置規制溝１４ａと第２位置規制部１４ｂとが、カバー本体６の前後方向に所定間隔離れた状態で互いに平行に設けられている。この場合、第１位置規制溝１４ａは、図５に示すように、カバー本体６の前端部６ａから後端部６ｂに向けて少し離れた位置に、前端部６ａと平行に設けられている。また、第２位置規制溝１４ｂは、第１位置規制溝１４ａから後端部６ｂに向けて少し離れた位置に、前端部６ａと平行に設けられている。
【００２３】
ところで、カバー本体６は、図６（ａ）に示すように、上から順に、第１表面層１５ａ、第２表面層１５ｂ、第３表面層１５ｃ、第１芯材１６ａ、中間層１６ｂ、第２芯材１６ｃ、第１裏面層１７ａ、第２裏面層１７ｂを積層した構成になっている。第１表面層１５ａは、ポリエステル（ＮＹＥＸ）などの合成樹脂からなるシートであり、第２表面層１５ｂはエチレン酢酸ビニル共重合体（ＥＶＡ）などの合成樹脂からなるクッション材であり、第３表面層１５ｃはポリプロピレン（ＰＰ）などの合成樹脂からなるボードである。
【００２４】
第１芯材１６ａは厚紙などの紙材からなり、中間層１６ｂはポリプロピレン（ＰＰ）などの合成樹脂からなるボードであり、第２芯材１６ｃは第１芯材１６ａと同様、厚紙などの紙材からなっている。第１裏面層１７ａはポリウレタン（ＰＵ）フォームなどからなるクッション材であり、第２裏面層１７ｂはポリウレタン（ＰＵ）などの合成樹脂からなる合成皮革である。
【００２５】
この場合、カバー本体６は、図６（ａ）では各層が同じ厚みになっているが、実際には各層がそれぞれ異なる厚みで形成されている。例えば、第２表面層１５ｂと第１裏面層１７ａとが最も厚く、これよりも第１芯材１６ａと第２芯材１６ｃとが少し薄く、これよりも第３表面層１５ｃと中間層１６ｂとが更に薄く、第１表面層１５ａと第２裏面層１７ｂとが最も薄く形成されている。
【００２６】
また、カバー本体６の支持収納凹部１１は、図６（ｂ）に示すように、上から順に、第１表面層１８、中間層１６ｂ、第２芯材１６ｃ、第１裏面層１７ａ、第２裏面層１７ｂを積層した構成になっている。すなわち、この支持収納凹部１１は、最上部の第１表面層１８がポリウレタン（ＰＵ）などの合成樹脂からなる合成皮革であり、その下の中間層１６ｂ以下がカバー本体６と同じ構成になっている。
【００２７】
この場合、支持収納凹部１１は、図６（ｂ）に示すように、カバー本体６の厚みよりも支持部７の厚みだけ薄く形成されている。また、この支持収納凹部１１も、カバー本体６と同様、各層がそれぞれ異なる厚みで形成されている。例えば、最上部の第１表面層１８は、第２裏面層１７ｂと同じ厚みで、最も薄く形成されている。これ以外は、カバー本体６の各層と同じ厚みで形成されている。
【００２８】
一方、支持部７は、図７（ａ）に示すように、上から順に、第１表面層２０ａ、第２表面層２０ｂ、第１芯材２１ａ、第２芯材２１ｂ、第１裏面層２２ａ、第２裏面層２２ｂを積層した構成になっている。第１表面層２０ａはポリエステル（ＮＹＥＸ）などの合成樹脂からなるシートであり、第２表面層２０ｂはポリプロピレン（ＰＰ）などの合成樹脂からなるボードである。第１芯材２１ａは厚紙などの紙材からなり、第２芯材２１ｂは第１芯材２１ａと同様、厚紙などの紙材からなっている。
【００２９】
第１裏面層２２ａはポリプロピレン（ＰＰ）などの合成樹脂からなるボードであり、第２裏面層２２ｂはポリウレタン（ＰＵ）などの合成樹脂からなる合成皮革である。この場合にも、支持部７は、図７（ａ）では各層が同じ厚みになっているが、実際には各層がそれぞれ異なる厚みで形成されている。例えば、第１芯材２１ａと第２芯材２１ｂとが最も厚く、これよりも第２表面層２０ｂと第１裏面層２２ａとが少し薄く、第１表面層２０ａと第２裏面層２２ｂとが最も薄く形成されている。
【００３０】
また、支持部７の規制収納凹部１３は、図７（ｂ）に示すように、上から順に、第１表面層２３ａ、第２表面層２３ｂ、芯材２４ａ、裏面層２４ｂを積層した構成になっている。第１表面層２３ａはポリエステル（ＮＹＥＸ）などの合成樹脂からなるシートであり、第２表面層２３ｂはポリプロピレン（ＰＰ）などの合成樹脂からなるボードである。芯材２４ａは厚紙などの紙材からなり、裏面層２４ｂはポリウレタン（ＰＵ）などの合成樹脂からなる合成皮革である。
【００３１】
この場合にも、規制収納凹部１３は、図７（ｂ）に示すように、支持部７の厚みよりも傾き規制部１２が折り畳まれた厚みだけ薄く形成されている。また、この規制収納凹部１３も、支持部７と同様、各層がそれぞれ異なる厚みで形成されている。例えば、芯材２４ａが最も厚く、これよりも第２表面層２３ｂが少し薄く、第１表面層２３ａと裏面層２４ｂとが最も薄く形成されている。
【００３２】
一方、カバー本体６の裏面における隅部には、図１および図９に示すように、機器ケース３の隅部を係脱可能に係止する一対の伸縮バンド２５が設けられている。この一対の伸縮バンド２５は、ゴムバンドであり、支持部７の連結端部７ａが位置するカバー本体６の後端部６ｂにおける両側の隅部にそれぞれ設けられている。これにより、一対の伸縮バンド２５は、図９に示すように、カバー本体６の表裏面のいずれかに伸縮して配置されることにより、機器ケース３の隅部を係脱可能に係止するように構成されている。
【００３３】
また、カバー本体６の支持収納凹部１１と支持部７とには、図５に示すように、互いに磁力で吸着する第１、第２の各磁石２６、２７がそれぞれ設けられている。すなわち、第１磁石２６は、カバー本体６の支持収納凹部１１のほぼ中央部に埋め込まれている。また、第２磁石２７は、支持部７のほぼ中央部に埋め込まれて、支持部７がカバー本体６の支持収納凹部１１内に収納された際に第１磁石２６と対応するように構成されている。
【００３４】
次に、この保護カバー１の作用について説明する。
まず、電子機器２を保護カバー１で覆って携帯する際には、支持部７の連結端部７ａを折り曲げて支持部７をカバー本体６の支持収納凹部１１内に収納する。すると、カバー本体６の支持収納凹部１１に埋め込まれた第１磁石２６と、支持部７に埋め込まれた第２磁石２７とが、互いの磁力によって吸着し、支持部７がカバー本体６の支持収納凹部１１内に固定される。
【００３５】
このときには、傾き規制部１２が２つに折り曲げられて支持部７の規制収納凹部１３に収納される。また、このときには、取付部８と屈曲部９とがカバー本体６の前端部６ａから突出して配置される。この状態で、屈曲部９を機器ケース３の表面３ａ側から裏面３ｄ側に向けて屈曲させて取付部８を折り返す。すると、図２に示すように、取付部８が機器ケース３を挟んで支持部７から離れ、機器ケース３が表裏反転して、機器ケース３の表面３ａが保護カバー１のカバー本体６に対面し、機器ケース３の表面３ａがカバー本体６で覆われる。
【００３６】
このときには、一対の伸縮バンド２５がカバー本体６の裏面に配置されていても、カバー本体６の後端部６ｂと支持部７の連結端部７ａとが連結されているので、カバー本体６の後端部６ｂと機器ケース３の下辺部３ｃとが勝手に離れて開くことはない。このため、図１に示すように、必ずしも一対の伸縮バンド２５を引き伸ばして機器ケース３の隅部に係止させる必要はない。
【００３７】
この状態では、機器ケース３の表面３ａに位置する入力表示部４および撮像部５がカバー本体６で覆われて保護される。これにより、電子機器２を安全にかつ良好に携帯することができる。また、この状態では、機器ケース３の裏面３ｄが露呈されているので、簡単にかつ容易に電池パック１０を交換したり、拡張端子（図示せず）にケーブルなどを接続したりすることができる。
【００３８】
次に、この電子機器２を保護カバー１で立て掛けて使用する場合について説明する。
この場合には、まず、図８に示すように、カバー本体６の支持収納凹部１１内から支持部７を引き上げる。このときには、カバー本体６の支持収納凹部１１に埋め込まれた第１磁石２６と、支持部７に埋め込まれた第２磁石２７との磁力に抗して、支持部７を引き起こす。
【００３９】
すると、図８に示すように、支持部７がその連結端部７ａで屈曲しながらカバー本体６上に起立する。このときには、折り畳まれた状態の一対の傾き規制部１２が支持部７の起立に伴って徐々に伸びるように展開し、この展開した一対の傾き規制部１２によってカバー本体６に対する支持部７の傾きが一定の角度、例えば６０度前後の傾斜角度に規制される。この状態で、機器ケース３を上方に押し上げると、屈曲部９が屈曲しながら機器ケース３が上方に向けて回転移動して支持部７の上方に起立する。
【００４０】
そして、屈曲部９を更に屈曲させながら機器ケース３を支持部７の前方に回転移動させると、図３に示すように、機器ケース３が屈曲部９によって上下反転する。このときには、機器ケース３が表裏反転し、機器ケース３の裏面３ｄに取り付けられた取付部８が屈曲部９に重なる。これにより、機器ケース３の下辺部３ｃがカバー本体６上に配置され、機器ケース３が支持部７によって支持される。
【００４１】
この状態では、図３に示すように、機器ケース３の撮影部５が上部に位置し、これと反対側に位置する機器ケース３の下辺部３ｃがカバー本体６上に配置された状態で、機器ケース３が斜めに傾斜して支持部７によって立て掛けられる。このときには、機器ケース３の下辺部３ｃの縁部をカバー本体６に設けられた第１位置規制溝１４ａと第２位置規制溝１４ｂとのいずれかに選択的に係止させることにより、機器ケース３の傾き角度が調整される。
【００４２】
例えば、機器ケース３の下辺部３ｃの縁部をカバー本体６の第１位置規制溝１４ａに係止させると、機器ケース３が緩やかな傾斜角度で傾いて立て掛けられる。また、機器ケース３の下辺部３ｃの縁部をカバー本体６の第２位置規制溝１４ｂに係止させると、機器ケース３が急な傾斜角度で傾いて立て掛けられる。更に、機器ケース３の下辺部３ｃの縁部を第２位置規制溝８ｂよりもカバー本体６の後端部６ｂ側に位置するカバー本体６の上面に配置させると、機器ケース３が更に急な傾斜角度で傾いて立て掛けられる。
【００４３】
このように機器ケース３を保護カバー１で斜めに立て掛けた状態では、電子機器２をテレビ会議として使用することができる。このときには、使用者が機器ケース３の前方に位置し、この状態で使用者を撮像部５で撮影し、この撮影した画像データを送信しながら、会議の相手の画像データを受信して入力表示部４に表示させることにより、テレビ会議を行うことができる。
【００４４】
また、機器ケース３を保護カバー１で斜めに立て掛けた状態では、電子機器２をプレゼンテーション端末として使用することができる。このときには、プレゼンテーションを見る使用者が聞きケース３の前方に位置し、この状態で入力表示部４にプレゼンテーションの内容を表示させることにより、電子機器２をプレゼンテーション端末として使用することができる。
【００４５】
次に、この電子機器２を片手で持って入力操作する場合について説明する。
この場合には、まず、図３に示す状態で、機器ケース３の下辺部３ｃをカバー本体６の上方に持ち上げて、機器ケース３をカバー本体６の前方に移動させながら、支持部７をカバー本体６の支持収納凹部１１内に収納する。すると、カバー本体６の支持収納凹部１１に埋め込まれた第１磁石２６と、支持部７に埋め込まれた第２磁石２７とが、互いの磁力によって吸着し、支持部７がカバー本体６の支持収納凹部１１内に固定される。
【００４６】
この状態で、屈曲部９をカバー本体６の前端部６ａの前方から前端部６ａの下側に向けて折り畳むように屈曲させながら、機器ケース３をカバー本体６の裏面に向けて回転移動させる。すると、図９および図１０に示すように、機器ケース３が表裏反転し、機器ケース３の表面３ａが露呈した状態で、機器ケース３の裏面３ｄがカバー本体６の裏面に対面して重なり合う。
【００４７】
このときには、機器ケース３の下辺部３ｃとカバー本体６の前端部６ａとが固定されていないため、機器ケース３の下辺部３ｃとカバー本体６の前端部６ａとが勝手に離れて開くことになる。このため、図９に示すように、カバー本体６の隅部に設けられた伸縮バンド２５を引き伸ばして機器ケース３の各隅部に係止させる。これにより、機器ケース３がカバー本体６に固定される。
【００４８】
この状態では、図９に示すように、機器ケース３の入力表示部４および撮像部５が露呈した状態で、機器ケース３がカバー本体６に固定されているので、機器ケース３とカバー本体６とを片手で挟むように持って、入力表示部４に表示された情報を見ながら入力表示部４をタッチ操作することができると共に、撮像部５で被写体を撮影することができ、これにより電子機器２を良好に使用することができる。
【００４９】
このように、この保護カバー１によれば、平面型の電子機器２の表面３ａを開閉自在に覆うカバー本体６と、このカバー本体６に起立横倒可能に取り付けられた支持部７と、この支持部７に屈曲自在に設けられて電子機器２に取り付けられる取付部８とを備えていることにより、簡単な構造で、使い勝手が良く、かつ電子機器２を良好に保護することができる。
【００５０】
すなわち、この保護カバー１では、カバー本体６で電子機器２の機器ケース３の表面３ａを覆って保護することができると共に、カバー本体６上に起立した支持部７で機器ケース３を立て掛けて使用することができるほか、機器ケース３の裏面３ｄを開放することができる。このため、電子機器２の使い勝手が良く、かつ電子機器２を良好に保護することができる。
【００５１】
この場合、保護カバー１は、電子機器２の表面３ａを開閉自在に覆うカバー本体６に支持部７を起立横倒可能に取り付け、この支持部７に取付部８を屈曲自在に設け、この取付部８に電子機器２を取り付けるだけの構成であるから、構造が簡単であるばかりか、機器ケース３の裏面３ｄを開放することができ、これにより電池パック１０や拡張端子（図示せず）などを露呈させることができるので、電池パック１０の交換や拡張端子の接続などが容易にでき、これによっても使い勝手の良いものを提供することができる。
【００５２】
また、この保護カバー１によれば、カバー本体６に支持部７を挿脱自在に収納する支持収納凹部１１が設けられていることにより、電子機器２を保護カバー１で保護して携帯する際、および電子機器２を保護カバー１と共に片手で持って使用する際に、支持部７をカバー本体６の支持収納凹部１１内に収納することができるので、コンパクトにかつ良好に電子機器２を携帯したり使用したりすることができる。
【００５３】
すなわち、この保護カバー１では、電子機器２を保護カバー１で保護して携帯する際に、支持部７をカバー本体６の支持収納凹部１１内に収納することにより、カバー本体６の表面と支持部７の表面とを同一平面にすることができるので、機器ケース３の表面３ａをカバー本体６の表面に密着させることができ、これにより電子機器２を保護カバー１で良好にかつコンパクトに保護することができる。
【００５４】
また、この保護カバー１では、電子機器２を保護カバー１と共に片手で持って使用する際に、支持部７をカバー本体６の支持収納凹部１１内に収納することにより、カバー本体６の表面と支持部７の表面とを同一平面にすることができるので、機器ケース３の裏面３ｄをカバー本体６の裏面に密着させることができ、これにより電子機器２を保護カバー１で良好にかつコンパクトにすることができる。
【００５５】
また、この保護カバー１によれば、カバー本体６に対して支持部７が起立する際に、支持部７の傾きを規制する一対の傾き規制部１２を備えていることにより、支持部７をカバー本体６上に起立させる際に、一対の傾き規制部１２によって支持部７を一定の傾斜角度、例えば６０度前後の傾斜角度で起立させることができる。このため、電子機器２を立て掛けて使用する際に、機器ケース３を安定した状態で確実にかつ良好に傾斜させて立て掛けることができる。
【００５６】
この場合、一対の傾き規制部１２は、屈曲自在な帯状の紐であることにより、支持部７をカバー本体６の支持収納凹部１１内に収納する際に、一対の傾き規制部１２をコンパクトに折り畳むことができる。また、支持部７には、傾き規制部１２を収納する規制収納凹部１３が設けられているので、支持部７がカバー本体６の支持収納凹部１１内に収納される際に、傾き規制部１２をコンパクトに折り畳んで規制収納凹部１３内に確実にかつ良好に収納することができ、これにより支持部７をカバー本体６の支持収納凹部１１内に良好に収納することができる。
【００５７】
また、この保護カバー１によれば、カバー本体６に、電子機器２を立て掛ける際に電子機器２の機器ケース３の下辺部３ｃを位置規制する第１位置規制溝１４ａと第２位置規制溝１４ｂとが設けられていることにより、機器ケース３の下辺部３ｃの縁部をカバー本体６の第１位置規制溝１４ａと第２位置規制溝１４ｂとのいずれかに選択的に係止させることができ、これにより機器ケース３の傾き角度を良好に調整することができる。
【００５８】
例えば、機器ケース３の下辺部３ｃの縁部をカバー本体６の第１位置規制溝１４ａに係止させると、機器ケース３を緩やかな角度で傾けて立て掛けることができる。また、機器ケース３の下辺部３ｃの縁部をカバー本体６の第２位置規制溝１４ｂに係止させると、機器ケース３を急な角度で傾けて立て掛けることができる。更に、機器ケース３の下辺部３ｃの縁部を第２位置規制溝８ｂよりもカバー本体６の後端部６ｂ側に位置するカバー本体６の上面に配置させると、機器ケース３を更に急な角度で傾けて立て掛けることができる。
【００５９】
さらに、この保護カバー１によれば、カバー本体６の隅部に、これに対応する電子機器２の隅部を係脱可能に係止する伸縮バンド２５が設けられていることにより、機器ケース３の表面３ａを露呈させた状態で、機器ケース３の裏面３ｄをカバー本体６の裏面に対面させて重ね合わせ、この状態でカバー本体６の伸縮バンド２５を引き伸ばして機器ケース３の隅部に係止させることができる。
【００６０】
これにより、機器ケース３をカバー本体６に確実にかつ良好に固定することができるので、機器ケース３をカバー本体６と共に片手で持って、機器ケース３の露呈した表面３ａの入力表示部４をタッチ操作することができると共に、機器ケース３の露呈した表面３ａの撮像部５で被写体を良好に撮影することができる。
【００６１】
また、この場合には、機器ケース３の裏面３ｄを開放させた状態で、機器ケース３の表面３ａをカバー本体６の表面に対面させて重ね合わせ、この状態でカバー本体６の伸縮バンド２５を引き伸ばして機器ケース３の隅部に係止させることもできるので、機器ケース３の表面３ａをカバー本体６で保護した状態でも、機器ケース３をカバー本体６に確実にかつ良好に固定させることができ、これによっても電子機器２を良好に携帯することができる。
【００６２】
さらに、この保護カバー１によれば、カバー本体６と支持部７とに、互いに磁力で吸着する第１、第２の各磁石２６、２７がそれぞれ設けられていることにより、支持部７をカバー本体６の支持収納凹部１１内に収納した際に、カバー本体６の第１磁石２６と支持部７の第２磁石２７とを互いに磁力によって吸着させて、支持部７をカバー本体６の支持収納凹部１１内に確実に固定することができる。
【００６３】
このため、機器ケース３の表面３ａをカバー本体６の表面に対面させて重ね合わせた状態で電子機器２を携帯する際に、電子機器２をカバー本体６に対して固定させた状態で良好に携帯することができ、また機器ケース３の裏面３ｄをカバー本体６の裏面に対面させて重ね合わせた状態で、機器ケース３をカバー本体６と共に片手で持って電子機器２を使用する際にも、電子機器２をカバー本体６に対して固定させた状態で良好に使用することができる。
【００６４】
なお、上述した実施形態では、保護カバー１の取付部８を機器ケース３の裏面３ｄに取り付けた場合について述べたが、必ずしも機器ケース３の裏面３ｄに取り付ける必要はなく、機器ケース３の側面に取り付けても良く、また機器ケース３の表面３ａの縁部に取り付けても良い。
【００６５】
また、上述した実施形態では、電子機器２としてタブレット端末装置などの携帯情報端末機に適用した場合について述べたが、これに限らず、キーボード部と表示部とを平面的に配列した平面型の電子機器であっても良い。この場合にも、表面に撮像部５を備えた構成のものであれば良い。
【００６６】
以上、この発明の一実施形態について説明したが、この発明は、これらに限られるものではなく、特許請求の範囲に記載された発明とその均等の範囲を含むものである。
以下に、本願の特許請求の範囲に記載された発明を付記する。
【００６７】
（付記）
請求項１に記載の発明は、平面型の電子機器の表面を開閉自在に覆うカバー本体と、このカバー本体に起立横倒可能に取り付けられた支持部と、この支持部に屈曲自在に設けられて前記電子機器に取り付けられる取付部とを備えていることを特徴とするカバーである。
【００６８】
請求項２に記載の発明は、請求項１に記載のカバーにおいて、前記カバー本体には、前記支持部を挿脱自在に収納する収納凹部が設けられていることを特徴とするカバーである。
【００６９】
請求項３に記載の発明は、請求項１または請求項２に記載のカバーにおいて、前記カバー本体に対して前記支持部が起立した際に、前記カバー本体に対する前記支持部の傾きを規制する傾き規制部を備えていることを特徴とするカバーである。
【００７０】
請求項４に記載の発明は、請求項１〜請求項３のいずれかに記載のカバーにおいて、前記カバー本体には、前記電子機器を立て掛ける際に、前記電子機器の下端部を位置規制する複数の位置規制部が設けられていることを特徴とするカバーである。
【００７１】
請求項５に記載の発明は、請求項１〜請求項４のいずれかに記載のカバーにおいて、前記カバー本体の隅部には、これに対応する前記電子機器の隅部を係脱可能に係止する伸縮バンドが設けられていることを特徴とするカバーである。
【００７２】
請求項６に記載の発明は、請求項１〜請求項５のいずれかに記載のカバーにおいて、前記カバー本体と前記支持部とには、互いに磁力で吸着する磁石がそれぞれ設けられていることを特徴とするカバーである。
【符号の説明】
【００７３】
１  保護カバー
２  電子機器
３  機器ケース
３ａ  機器ケースの表面
３ｄ  機器ケースの裏面
４  入力表示部
５  撮像部
６  カバー本体
７  支持部
８  取付部
９  屈曲部
１０  電池パック
１１  支持収納凹部
１２  傾き規制部
１３  規制収納凹部
１４ａ  第１位置規制溝
１４ｂ  第２位置規制溝
２５  伸縮バンド
２６  第１磁石
２７  第２磁石
【図１】
2014026412.tif 000003
【図２】
2014026412.tif 000004
【図３】
2014026412.tif 000005
【図４】
2014026412.tif 000006
【図５】
2014026412.tif 000007
【図６】
2014026412.tif 000008
【図７】
2014026412.tif 000009
【図８】
2014026412.tif 000010
【図９】
2014026412.tif 000011
【図１０】
2014026412.tif 000012